(57)【要約】【課題】初期動作が不安定で電力を消費するガスセンサーへの通電をガスセンサーの汚れ検出を必要としない不要時には遮断することで、消費電力を削減することのできる空気清浄機を提供することを目的としている。【解決手段】本体１内に備えた制御部７により、ガスセンサー８ａを備えたガス検出部への電源供給が不要であるタイマー設定による運転停止時に電源部６からガス検出部８への電源供給を遮断し、ガス検出部の消費電力を削減することのできる空気清浄機が得られる。【選択図】図１
2006046785.tif 000002
【特許請求の範囲】
【請求項１】
本体に設けた吸気口と、この吸気口から吸気した汚れ空気を清浄化する浄化手段と、この浄化手段に通風する送風手段と、空気中の汚れ成分を検出する汚れ検出手段と、この汚れ検出手段に電源を供給する電源部と、この電源部から前記汚れ検出手段への電源供給を制御する制御部を有し、前記制御部はタイマー設定による運転停止時に前記電源部から前記汚れ検出手段への電源供給を遮断するようにした空気清浄機。
【請求項２】
本体に設けた吸気口と、この吸気口から吸気した汚れ空気を清浄化する浄化手段と、この浄化手段に通風する送風手段と、空気中の汚れ成分を検出する汚れ検出手段と、この汚れ検出手段に電源を供給する電源部と、この電源部から前記汚れ検出手段への電源供給を制御する制御部を有し、前記制御部は切タイマー設定による運転停止時に前記電源部から前記汚れ検出手段への電源供給を遮断し、一定時間経過後に前記電源部から前記汚れ検出手段への電源供給を自動復帰するようにした空気清浄機。
【請求項３】
本体に設けた吸気口と、この吸気口から吸気した汚れ空気を清浄化する浄化手段と、この浄化手段に通風する送風手段と、空気中の汚れ成分を検出する汚れ検出手段と、この汚れ検出手段に電源を供給する電源部と、この電源部から前記汚れ検出手段への電源供給を制御する制御部を有し、前記制御部は入タイマー設定による運転停止時に前記電源部から前記汚れ検出手段への電源供給を遮断し、前記入タイマー設定による運転開始時に前記電源部から前記汚れ検出手段への電源供給を自動復帰するようにした空気清浄機。
【請求項４】
本体に設けた吸気口と、この吸気口から吸気した汚れ空気を清浄化する浄化手段と、この浄化手段に通風する送風手段と、空気中の汚れ成分を検出する汚れ検出手段と、この汚れ検出手段に電源を供給する電源部と、この電源部から前記汚れ検出手段への電源供給を制御する制御部を有し、前記制御部は入タイマー設定による運転停止時から一定時間経過後に前記電源部から前記汚れ検出手段への電源供給を遮断し、前記入タイマー設定による運転開始時に前記電源部から前記汚れ検出手段への電源供給を自動復帰するようにした空気清浄機。
【請求項５】
前記電源部から前記汚れ検出手段への電源供給を遮断してから、自動復帰するまでの一定時間を自由に設定できるようにした請求項２記載の空気清浄機。
【請求項６】
前記送風手段の連続運転あるいは自動運転を行う運転モードを備え、前記電源部から前記汚れ検出手段への電源供給を遮断中に、前記運転モードに設定された場合は、前記電源部から前記汚れ検出手段への電源供給を復帰するようにした請求項１〜５いずれか記載の空気清浄機。
【請求項７】
前記電源部から前記汚れ検出手段への電源供給が復帰した場合の前記汚れ検出手段のエージング時間を、前記電源部から前記汚れ検出手段への電源供給遮断時間によって決定するようにした請求項１〜６いずれか記載の空気清浄機。
【請求項８】
前記電源部から前記汚れ検出手段への電源供給が復帰した場合の前記汚れ検出手段のエージング時間を、電源投入直後のエージング時間より短くするようにした請求項７記載の空気清浄機。
【請求項９】
前記制御部はタイマー設定による運転停止時に前記汚れ検出手段が汚れを検出している場合は、前記電源部から前記汚れ検出手段への電源供給を遮断しないようにした請求項１記載の空気清浄機。
【請求項１０】
前記電源部から前記汚れ検出手段への電源供給を行っているか、あるいは遮断しているかを表示する表示手段を有する請求項１〜９いずれか記載の空気清浄機。
【発明の詳細な説明】
【技術分野】
【０００１】
本発明は、ガスセンサーにより室内の空気汚れを検出し、送風手段を駆動して室内空気を吸い込み、浄化手段を通して清浄化する空気清浄機に関するものである。
【背景技術】
【０００２】
従来、この種の空気清浄機は下記に記載されたものが知られている。
【０００３】
以下、その空気清浄機について図９および図１０を参照しながら説明する。
【０００４】
図に示すように空気清浄機本体１０１には、前面パネル１０２が設けられ、空気を清浄化するためのフィルター１０３と、フィルター１０３に通風するモーター１０４と、このモーター１０４を運転制御する制御部１０５を備えている。また、本体１０１の前面に空気の汚れを検出するガスセンサー１０６を設けている。
【０００５】
上記構成において、ガスセンサー１０６は大気中のガス濃度により感ガス素子１０６ａの抵抗値が変化することで汚れを検出し、制御部１０５はガスセンサー１０６からの検出信号に応じてモーター１０４の回転数を変えてフィルター１０３への通風量を変化させ、空気の清浄化運転を行っている。また、ガスセンサー１０６が安定して動作し始めるには、感ガス素子１０６ａをヒータ１０６ｂで温め始めてから数十秒〜数分のエージング時間を必要とし、また、その後も感ガス素子１０６ａをヒータ１０６ｂで温め続けることでガスセンサー１０６が安定して動作するため、空気清浄機に電源が投入されている間は、ヒータ１０６ｂにも通電させている（例えば、特許文献１参照）。
【特許文献１】特許第２５６３２６３号公報
【発明の開示】
【発明が解決しようとする課題】
【０００６】
このような従来の空気清浄機では、停止状態に自動運転中の停止状態やスイッチ操作による停止状態、タイマー設定による停止状態などのガスセンサーの汚れ検出を必要とする停止状態、必要としない停止状態があるにもかかわらず、常時ガスセンサーは通電しているため、ガスセンサーの汚れ検出を必要としない停止状態で無駄な電力を消費しているという課題があり、ガスセンサーの汚れ検出を必要としない停止状態ではガスセンサーへの通電を遮断し、消費電力の削減をすることが要求されている。
【０００７】
本発明は、このような従来の課題を解決するものであり、タイマー設定による運転停止状態のようなガスセンサーの汚れ検出を必要としない状況では、ガスセンサーへの通電を遮断することで消費電力を削減することのできる空気清浄機を提供することを目的としている。
【課題を解決するための手段】
【０００８】
本発明の空気清浄機は上記目的を達成するために、本体に設けた吸気口と、この吸気口から吸気した汚れ空気を清浄化する浄化手段と、この浄化手段に通風する送風手段と、空気中の汚れ成分を検出する汚れ検出手段と、この汚れ検出手段に電源を供給する電源部と、この電源部から前記汚れ検出手段への電源供給を制御する制御部を有し、前記制御部はタイマー設定による運転停止時に前記電源部から前記汚れ検出手段への電源供給を遮断するようにしたものである。
【０００９】
この手段により汚れ検出手段の汚れ検出を必要としない停止状態では、汚れ検出手段への電源供給を遮断し消費電力を削減することができる空気清浄機が得られる。
【００１０】
また他の手段は、本体に設けた吸気口と、この吸気口から吸気した汚れ空気を清浄化する浄化手段と、この浄化手段に通風する送風手段と、空気中の汚れ成分を検出する汚れ検出手段と、この汚れ検出手段に電源を供給する電源部と、この電源部から前記汚れ検出手段への電源供給を制御する制御部を有し、前記制御部は切タイマー設定による運転停止時に前記電源部から前記汚れ検出手段への電源供給を遮断し、一定時間経過後に前記電源部から前記汚れ検出手段への電源供給を自動復帰するようにしたものである。
【００１１】
この手段により汚れ検出手段の汚れ検出を必要としない停止状態では、汚れ検出手段への電源供給を遮断し消費電力を削減することができ、また、汚れ検出手段の汚れ検出を必要とする時間帯に、汚れ検出手段への電源供給を自動復帰することができる空気清浄機が得られる。
【００１２】
また他の手段は、本体に設けた吸気口と、この吸気口から吸気した汚れ空気を清浄化する浄化手段と、この浄化手段に通風する送風手段と、空気中の汚れ成分を検出する汚れ検出手段と、この汚れ検出手段に電源を供給する電源部と、この電源部から前記汚れ検出手段への電源供給を制御する制御部を有し、前記制御部は入タイマー設定による運転停止時に前記電源部から前記汚れ検出手段への電源供給を遮断し、前記入タイマー設定による運転開始時に前記電源部から前記汚れ検出手段への電源供給を自動復帰するようにしたものである。
【００１３】
この手段により汚れ検出手段の汚れ検出を必要としない停止状態では、汚れ検出手段への電源供給を遮断し消費電力を削減することができ、また、汚れ検出手段の汚れ検出を必要とする時間帯に、汚れ検出手段への電源供給を自動復帰することができる空気清浄機が得られる。
【００１４】
また他の手段は、本体に設けた吸気口と、この吸気口から吸気した汚れ空気を清浄化する浄化手段と、この浄化手段に通風する送風手段と、空気中の汚れ成分を検出する汚れ検出手段と、この汚れ検出手段に電源を供給する電源部と、この電源部から前記汚れ検出手段への電源供給を制御する制御部を有し、前記制御部は入タイマー設定による運転停止時から一定時間経過後に前記電源部から前記汚れ検出手段への電源供給を遮断し、前記入タイマー設定による運転開始時に前記電源部から前記汚れ検出手段への電源供給を自動復帰するようにしたものである。
【００１５】
この手段により入タイマーの誤設定による停止状態で、汚れ検出手段への電源供給を遮断することを防ぐことができる空気清浄機が得られる。
【００１６】
また他の手段は、前記電源部から前記汚れ検出手段への電源供給を遮断してから、自動復帰するまでの一定時間を自由に設定できるようにしたものである。
【００１７】
この手段により使用者、使用条件などの違いによる汚れ検出手段の汚れ検出を必要とする時間帯の違いに対応することができる空気清浄機が得られる。
【００１８】
また他の手段は、前記送風手段の連続運転あるいは自動運転を行う運転モードを備え、前記電源部から前記汚れ検出手段への電源供給を遮断中に、前記運転モードに設定された場合は、前記電源部から前記汚れ検出手段への電源供給を復帰するようにしたものである。
【００１９】
この手段により自動復帰前の電源遮断中であっても、汚れ検出手段の汚れ検出を必要とする場合には汚れ検出手段への電源供給を復帰することができる空気清浄機が得られる。
【００２０】
また他の手段は、前記電源部から前記汚れ検出手段への電源供給が復帰した場合の前記汚れ検出手段のエージング時間を、前記電源部から前記汚れ検出手段への電源供給遮断時間によって決定するようにしたものである。
【００２１】
この手段により電源供給遮断時間によるエージング時間のばらつきに対応することができ、最適なエージング時間を設定することができる空気清浄機が得られる。
【００２２】
また他の手段は、前記電源部から前記汚れ検出手段への電源供給が復帰した場合の前記汚れ検出手段のエージング時間を、電源投入直後のエージング時間より短くするようにしたものである。
【００２３】
この手段により汚れ検出手段の無駄なエージング時間を減らすことができる空気清浄機が得られる。
【００２４】
また他の手段は、前記制御部はタイマー設定による運転停止時に前記汚れ検出手段が汚れを検出している場合は、前記電源部から前記汚れ検出手段への電源供給を遮断しないようにしたものである。
【００２５】
この手段により汚れ検出手段の汚れ空気中でのエージングを防ぐことができる空気清浄機が得られる。
【００２６】
また他の手段は、前記電源部から前記汚れ検出手段への電源供給を行っているか、あるいは遮断しているかを表示する表示手段を有するものである。
【００２７】
この手段により使用者に汚れ検出手段の状態を知らせることができる空気清浄機が得られる。
【発明の効果】
【００２８】
本発明によればタイマー設定による運転停止時に汚れ検出手段への電源供給を遮断することで、消費電力を削減できるという効果のある空気清浄機を提供できる。
【００２９】
また、切タイマー設定による運転停止時に汚れ検出手段への電源供給を遮断し、一定時間経過後に電源供給を自動復帰することで、汚れ検出手段への電源供給遮断中は消費電力を削減でき、そして、汚れ検出手段の汚れ検出を必要とする時間帯には汚れ検出を行うことができるという効果のある空気清浄機を提供できる。
【００３０】
また、入タイマー設定による運転停止時に汚れ検出手段への電源供給を遮断し、運転開始時に電源供給を自動復帰することで、汚れ検出手段への電源供給遮断中は消費電力を削減でき、そして、運転開始時から確実に汚れ検出を行うことができるという効果のある空気清浄機を提供できる。
【００３１】
また、入タイマー設定による運転停止時から一定時間経過後に汚れ検出手段への電源供給を遮断することで、入タイマーの誤設定による汚れ検出手段への電源供給遮断を防ぐことができるという効果のある空気清浄機を提供できる。
【００３２】
また、切タイマー設定による運転停止時に汚れ検出手段への電源供給を遮断してから、自動復帰するまでの一定時間を自由に設定できるようにすることで、使用者、使用条件などの違いによる汚れ検出手段の汚れ検出を必要とする時間帯の違いに対応することができるという効果のある空気清浄機を提供できる。
【００３３】
また、汚れ検出手段への電源供給遮断中に運転モードに設定された場合は、即座に電源供給を復帰させることで、自動で復帰する前でも汚れ検出手段の汚れ検出を行うことができるという効果のある空気清浄機を提供できる。
【００３４】
また、汚れ検出手段への電源供給が復帰した場合の汚れ検出手段のエージング時間を、汚れ検出手段の電源供給遮断時間によって決定することで、最適なエージング時間を設定することができるという効果のある空気清浄機を提供できる。
【００３５】
また、汚れ検出手段への電源供給が復帰した場合の汚れ検出手段のエージング時間を、電源投入直後のエージング時間より短くすることで、無駄なエージング時間を減らすことができるという効果のある空気清浄機を提供できる。
【００３６】
また、タイマー設定による運転停止時に汚れ検出手段が汚れを検出している場合は、汚れ検出手段への電源供給を遮断しないようにすることで、汚れ検出手段の汚れ空気中でのエージングを防ぐことができるという効果のある空気清浄機を提供できる。
【００３７】
また、汚れ検出手段への電源供給を行っているか、あるいは遮断しているかを表示する表示手段を有することで、使用者に汚れ検出手段の状態を知らせることができるという効果のある空気清浄機を提供できる。
【発明を実施するための最良の形態】
【００３８】
本発明の請求項１記載の発明は、本体に設けた吸気口と、この吸気口から吸気した汚れ空気を清浄化する浄化手段と、この浄化手段に通風する送風手段と、空気中の汚れ成分を検出する汚れ検出手段と、この汚れ検出手段に電源を供給する電源部と、この電源部から前記汚れ検出手段への電源供給を制御する制御部を有し、前記制御部はタイマー設定による運転停止時に前記電源部から前記汚れ検出手段への電源供給を遮断するようにしたものであり、タイマー設定による運転停止時に汚れ検出手段への電源供給を遮断するため消費電力を削減できるという作用を有する。
【００３９】
また、本体に設けた吸気口と、この吸気口から吸気した汚れ空気を清浄化する浄化手段と、この浄化手段に通風する送風手段と、空気中の汚れ成分を検出する汚れ検出手段と、この汚れ検出手段に電源を供給する電源部と、この電源部から前記汚れ検出手段への電源供給を制御する制御部を有し、前記制御部は切タイマー設定による運転停止時に前記電源部から前記汚れ検出手段への電源供給を遮断し、一定時間経過後に前記電源部から前記汚れ検出手段への電源供給を自動復帰するようにしたものであり、使用者が操作しなくても汚れ検出手段の汚れ検出を必要とする時間帯に汚れ検出手段への電源供給を復帰することができるという作用を有する。
【００４０】
また、本体に設けた吸気口と、この吸気口から吸気した汚れ空気を清浄化する浄化手段と、この浄化手段に通風する送風手段と、空気中の汚れ成分を検出する汚れ検出手段と、この汚れ検出手段に電源を供給する電源部と、この電源部から前記汚れ検出手段への電源供給を制御する制御部を有し、前記制御部は入タイマー設定による運転停止時に前記電源部から前記汚れ検出手段への電源供給を遮断し、前記入タイマー設定による運転開始時に前記電源部から前記汚れ検出手段への電源供給を自動復帰するようにしたものであり、入タイマー設定による運転開始時から確実に汚れ検出を行うことができるという作用を有する。
【００４１】
また、本体に設けた吸気口と、この吸気口から吸気した汚れ空気を清浄化する浄化手段と、この浄化手段に通風する送風手段と、空気中の汚れ成分を検出する汚れ検出手段と、この汚れ検出手段に電源を供給する電源部と、この電源部から前記汚れ検出手段への電源供給を制御する制御部を有し、前記制御部は入タイマー設定による運転停止時から一定時間経過後に前記電源部から前記汚れ検出手段への電源供給を遮断し、前記入タイマー設定による運転開始時に前記電源部から前記汚れ検出手段への電源供給を自動復帰するようにしたものであり、入タイマーを誤設定しても汚れ検出手段への電源供給をすぐには遮断しないため、入タイマーの誤設定による汚れ検出手段のエージングを防ぐことができるという作用を有する。
【００４２】
また、前記電源部から前記汚れ検出手段への電源供給を遮断してから、自動復帰するまでの一定時間を自由に設定できるようにしたものであり、使用者、使用条件の違いに対応することができるという作用を有する。
【００４３】
また、前記送風手段の連続運転あるいは自動運転を行う運転モードを備え、前記電源部から前記汚れ検出手段への電源供給を遮断中に、前記運転モードに設定された場合は、前記電源部から前記汚れ検出手段への電源供給を復帰するようにしたものであり、自動復帰前の電源供給遮断中であっても、汚れ検出手段の汚れ検出を必要とする場合は、即座に電源供給を復帰することができるという作用を有する。
【００４４】
また、前記電源部から前記汚れ検出手段への電源供給が復帰した場合の前記汚れ検出手段のエージング時間を、前記電源部から前記汚れ検出手段への電源供給遮断時間によって決定するようにしたものであり、電源供給遮断時間によるエージング時間のばらつきに対応し、最適なエージング時間を設定することができるという作用を有する。
【００４５】
また、前記電源部から前記汚れ検出手段への電源供給が復帰した場合の前記汚れ検出手段のエージング時間を、電源投入直後のエージング時間より短くするようにしたものであり、汚れ検出手段が安定して動作できるのにエージングを行っているという無駄なエージング時間を減らすことができるという作用を有する。
【００４６】
また、前記制御部はタイマー設定による運転停止時に前記汚れ検出手段が汚れを検出している場合は、前記電源部から前記汚れ検出手段への電源供給を遮断しないようにしたものであり、汚れ空気中での汚れ検出手段のエージングを防ぐことができるという作用を有する。
【００４７】
また、前記電源部から前記汚れ検出手段への電源供給を行っているか、あるいは遮断しているかを表示する表示手段を有したものであり、使用者に汚れ検出手段の状態を知らせることができるという作用を有する。
【００４８】
以下、本発明の実施の形態について図面を参照しながら説明する。
【００４９】
（実施の形態１）
図１〜図３に示すように、空気清浄機本体１は略箱形に形成され、本体１の正面にはフロントパネル２を設け、フロントパネルに吸気口３を形成している。本体１内には空気を清浄化するための浄化手段としてのフィルター４と、このフィルター４に通風する送風手段としてのファンモーター５が備えられ、本体１側面に吹出口９が設けられている。ファンモーター５の駆動により吸気口３から空気が吸い込まれ、フィルター４を通って清浄された後、吹出口９から吹き出される。
【００５０】
本体１左上部には汚れ検出手段としてのガスセンサー８ａを備えたガス検出部８が設けられている。
【００５１】
またガス検出部８に電源を供給する電源部６と、マイクロコンピュータ１０からの信号により電源供給を制御する制御部７が設けられている。
【００５２】
また運転切替スイッチ１１ａ、切タイマー設定スイッチ１１ｂ、入タイマー設定スイッチ１１ｃを備えた入力部１１、ファンモーター５を駆動するモーター駆動部１２が設けられている。
【００５３】
上記構成において、ステップ１３で電源が投入されるとステップ１４でガス検出部８への電源供給が開始される。ステップ１５で運転切替スイッチ１１ａを入力し、ステップ１６で運転状態とする。ステップ１７で切タイマー設定スイッチ１１ｂを入力し、ステップ１８で設定時間経過すると、運転状態から停止状態となる切タイマーをＴ時間設定する。
【００５４】
ステップ１９でＴ時間経過するまで運転を継続し、Ｔ時間経過後ステップ２０に進む。ステップ２０で運転停止し、ステップ２１で制御部７により電源部６からガス検出部８への電源供給を遮断する。ステップ２２で運転停止状態から運転切替スイッチ１１ａの入力により、運転状態となった場合はステップ２４に進み、ガス検出部８への電源供給を復帰する。また運転停止状態が継続している場合はステップ２３に進む。ステップ２３でガス検出部８への電源供給遮断時間がＳ時間経過するまで、ステップ２２、ステップ２３の処理を繰り返し、Ｓ時間経過後ステップ２４に進む。ステップ２４でガス検出部８への電源供給を復帰し、ステップ１４の処理に戻る。
【００５５】
このようにガス検出部への電源供給を不要時には制御部７が遮断することにより、消費電力を削減することができる。
【００５６】
また、ガス検出部への電源供給遮断から電源供給復帰までのＳ時間を自由に設定することにより、使用者、使用条件の違いに対応することができる。
【００５７】
なお、実施の形態１ではガスセンサーを備えたガス検出部を例に挙げて説明したが、電力を消費するセンサーを備えた検出部であれば、その作用効果に差異を生じない。
【００５８】
（実施の形態２）
実施の形態１と同一部分は同一番号を付し詳細な説明な省略する。
【００５９】
図４に示すように、ステップ２５で電源が投入されるとステップ２６でガス検出部８への電源供給が開始される。ステップ２７で運転切替スイッチ１１ａを入力し、ステップ２８で運転状態とする。ステップ２９で入タイマー設定スイッチ１１ｃを入力し、ステップ３０で設定時に運転状態から停止状態となり、設定時間経過後に運転を再開する入タイマーをＴ時間設定する。ステップ３１で入タイマー設定により運転停止となる。ステップ３２でＴ＞ＳであるＳ時間経過するまでガス検出部８への電源供給を行い、Ｓ時間経過後ステップ３３に進む。ステップ３３で制御部７により電源部６からガス検出部８への電源供給を遮断する。ステップ３４で運転停止状態から運転状態となる場合は、ステップ３６に進み、ガス検出部８への電源供給を復帰する。またステップ３４で運転停止状態が継続している場合はステップ３５に進む。ステップ３５で入タイマーのＴ時間が経過するまで、ステップ３４、ステップ３５の処理を繰り返し、Ｔ時間経過後ステップ３６に進む。ステップ３６でガス検出部への電源供給を復帰し、ステップ３７で運転を再開し、ステップ２８の処理に戻る。
【００６０】
このようにガス検出部への電源供給を不要時には制御部７が遮断することにより、消費電力を削減することができる。
【００６１】
また、入タイマー設定からＳ時間経過後にガス検出部への電源供給を遮断することにより、入タイマーの誤設定によるガスセンサーのエージングを防ぐことができる。
【００６２】
（実施の形態３）
実施の形態１または実施の形態２と同一部分は同一番号を付し詳細な説明な省略する。
【００６３】
図５に示すように、マイクロコンピュータ１０がカウントした制御部７によるガス検出部への電源供給遮断時間に対して、電源供給復帰時のエージング時間を決定するものである。
【００６４】
上記構成において、例えば図５の（イ）に示すように電源投入直後のエージング時間を２分とし、図５の（ロ）に示すように電源供給遮断時間が４時間まではエージング時間が３０秒、４時間以上８時間未満ではエージング時間が１分、８時間以上１２時間未満ではエージング時間が１分３０秒、１２時間以上では電源投入直後のエージング時間と同じ２分としている。また、図５の（ハ）に示すように電源供給遮断時間が１２時間未満までは、電源供給遮断時間が増加すればエージング時間も増加する比例関係とし、１２時間以上では電源投入直後のエージング時間と同じ２分としている。
【００６５】
このように電源供給遮断時間に対して電源供給復帰時のエージング時間を決定することにより、電源供給遮断時間によるエージング時間のばらつきに対応することができる。
【００６６】
また、電源供給復帰時のエージング時間を電源投入直後のエージング時間より短くすることにより、無駄なエージング時間を減らすことができる。
【００６７】
（実施の形態４）
実施の形態１乃至３のいずれかと同一部分は同一番号を付し詳細な説明な省略する。
【００６８】
図６に示すように、ステップ３８で電源が投入されるとステップ３９でガス検出部８への電源供給が開始される。ステップ４０で運転切替スイッチ１１ａを入力し、ステップ４１で運転状態とする。ステップ４２で切タイマー設定スイッチ１１ｂを入力し、ステップ４３で設定時間経過すると、運転状態から停止状態となる切タイマーをＴ時間設定する。
【００６９】
ステップ４４でＴ時間経過するまで運転を継続し、Ｔ時間経過後ステップ４５に進む。ステップ４５で運転停止し、ステップ４６に進む。ステップ４６でガス検出部の汚れ検出があるとガス検出部への電源供給を継続し、ステップ３９の処理に戻る。ステップ４６でガス検出部の汚れ検出がなければ、ステップ４７に進み、ステップ４７で制御部７により電源部６からガス検出部８への電源供給を遮断する。ステップ４８で運転停止状態から運転切替スイッチ１１ａの入力により、運転状態となった場合はステップ５０に進み、ガス検出部８への電源供給を復帰する。また運転停止状態が継続している場合はステップ４９に進む。ステップ４９でガス検出部８への電源供給遮断時間がＳ時間経過するまで、ステップ４８、ステップ４９の処理を繰り返し、Ｓ時間経過後ステップ５０に進む。ステップ５０でガス検出部８への電源供給を復帰し、ステップ３９の処理に戻る。
【００７０】
また、図７に示すように、ステップ５１で電源が投入されるとステップ５２でガス検出部８への電源供給が開始される。ステップ５３で運転切替スイッチ１１ａを入力し、ステップ５４で運転状態とする。ステップ５５で入タイマー設定スイッチ１１ｃを入力し、ステップ５６で設定時に運転状態から停止状態となり、設定時間経過後に運転を再開する入タイマーをＴ時間設定する。ステップ５７で入タイマー設定により運転停止となる。ステップ５７でＴ＞ＳであるＳ時間経過するまでガス検出部８への電源供給を行い、Ｓ時間経過後ステップ５９に進む。ステップ５９でガス検出部の汚れ検出があるとステップ６０に進み、ステップ６０でＴ時間経過するまで運転停止を継続し、Ｔ時間経過後ステップ６５に進む。またステップ５９でガス検出部の汚れ検出がなければ、ステップ６１で制御部７により電源部６からガス検出部８への電源供給を遮断する。ステップ６２で運転停止状態から運転状態となる場合は、ステップ６４に進み、ガス検出部８への電源供給を復帰する。またステップ６２で運転停止状態が継続している場合はステップ６３に進む。ステップ６３で入タイマーのＴ時間が経過するまで、ステップ６２、ステップ６３の処理を繰り返し、Ｔ時間経過後ステップ６４に進む。ステップ６４でガス検出部への電源供給を復帰し、ステップ６５で運転を再開し、ステップ５４の処理に戻る。
【００７１】
このようにガス検出部への電源供給を不要時には制御部７が遮断することにより、消費電力を削減することができる。
【００７２】
また、ガス検出部が汚れを検出している場合は、ガス検出部への電源供給を継続することにより、ガス検出部の汚れ空気中でのエージングを防ぐことができる。
【００７３】
（実施の形態５）
実施の形態１乃至４のいずれかと同一部分は同一番号を付し詳細な説明な省略する。
【００７４】
図８に示すように、表示手段としての表示部６６を設けている。
【００７５】
上記構成において、表示部６６は制御部７が電源部６からガス検出部８への電源供給を遮断している時、それを表示するようにしたものである。
【００７６】
このようにガス検出部への電源供給遮断中であることを表示する表示部を設けることにより、使用者にガス検出部の状態を知らせることができる。
【００７７】
なお、実施の形態５ではガス検出部への電源供給遮断を表示する表示部を設けたが、ガス検出部への電源供給を表示する表示部を設けても、その作用効果に差異を生じない。
【産業上の利用可能性】
【００７８】
タイマー機能を用いて電力を消費するセンサーの省エネを行うことができるので、タイマー機能やセンサーを備えた加湿器あるいは除湿機にも適用できる。
【図面の簡単な説明】
【００７９】
【図１】本発明の実施の形態１の空気清浄機の一部破断の外観斜視図
【図２】同制御ブロック図
【図３】同フローチャート
【図４】本発明の実施の形態２のフローチャート
【図５】本発明の実施の形態３のエージング特性図
【図６】本発明の実施の形態４のフローチャート
【図７】同フローチャート
【図８】本発明の実施の形態５の制御ブロック図
【図９】従来の空気清浄機の一部破断の外観斜視図
【図１０】同制御ブロック図
【符号の説明】
【００８０】
１  本体
３  吸気口
４  フィルター（浄化手段）
５  ファンモーター（送風手段）
６  電源部
７  制御部
８  ガス検出部（汚れ検出手段）
６６  表示部（表示手段）
【図１】
2006046785.tif 000003
【図２】
2006046785.tif 000004
【図３】
2006046785.tif 000005
【図４】
2006046785.tif 000006
【図５】
2006046785.tif 000007
【図６】
2006046785.tif 000008
【図７】
2006046785.tif 000009
【図８】
2006046785.tif 000010
【図９】
2006046785.tif 000011
【図１０】
2006046785.tif 000012